(57)【要約】【課題】誤って落下した小型容器の回収が容易にでき、作業員によるメンテナンスが容易にでき、軽量化、コストダウンが図られる創薬用自動保管庫を提供すること。【解決手段】創薬開発用試料をプレートやチューブ等の容器に封入し、恒温恒湿、冷凍等の環境のもとで保管管理する創薬用自動保管庫において、前記創薬用自動保管庫内の保管棚１２０や移載機１５０等が設置される架台を天井側から吊り下げると共に、電気配線や信号線等も天井側に配置することによって、上記の課題を解決する。【選択図】図２
2006298559.tif 000002
【特許請求の範囲】
【請求項１】
創薬開発用試料をプレートやチューブ等の容器に封入し、恒温恒湿、冷凍等の環境のもとで保管管理する創薬用自動保管庫において、
前記創薬用自動保管庫内の保管棚や移載機等が設置される架台を天井側から吊り下げると共に、電気配線や信号線等も天井側に配置すること
を特徴とする創薬用自動保管庫。
【発明の詳細な説明】
【技術分野】
【０００１】
本発明は、創薬開発用試料をプレートやチューブなどの容器に封入し、恒温恒湿、冷凍等の環境のもとで保管管理する創薬用自動保管庫に関するものである。
【背景技術】
【０００２】
従来、創薬研究の分野においては、薬剤や化合物等の試料が封入されたバイアル瓶やマイクロチューブなどの複数の小型容器を保管用トレイにマトリクス状に列立収容し、この保管用トレイを恒温恒湿、冷凍等の環境のもとで保管管理する創薬用自動保管庫が使用されていた。この創薬用自動保管庫は、内部を恒温恒湿、冷凍等の環境で管理する必要があるため、効率を向上させるためには、内部の空間を小さくすることが必要である。そのため、その内部は、複数の保管用トレイを垂直方向に収納可能なように区画された保管棚や、保管用トレイを出庫又は入庫する際に使用する移載機等が、ぎっしりと詰め込まれた状態になっていた。
【特許文献１】特開２００４−２６９１００号
【発明の開示】
【発明が解決しようとする課題】
【０００３】
ところが、従来の創薬用自動保管庫では、保管棚や移載機等の架台が、装置本体の床板に固定されており、また、電気配線や、温度や湿度の計測用信号線等が保管棚や移載機等の架台の隙間を縫うように床板に張り巡らされていた。そのため、創薬用自動保管庫の使用中に小型容器を誤って落下した場合、その小型容器が床板に張り巡らされている電気配線等の間に入り込んでしまって、落下した小型容器を拾い出そうとしても手が入るスペースもなく、拾い出すことができないという問題があった。さらに、小型容器に封入された、薬品や試料等の溶液がこぼれた場合、清掃がしにくく、作業員によるメンテナンス作業が繁雑になるという問題もあった。
【０００４】
また、創薬用自動保管庫の内部を恒温恒湿、冷凍等の環境に保つための保冷装置や移載機の振動が、架台を通じて、保管中の小型容器に伝わり、創薬開発用試料の結晶観察等に悪影響を及ぼすことが懸念されていた。
【０００５】
さらに、保管棚や移載機の揺れを抑えるためには、これらが設置される架台を重くて強固なものにしなければならず、装置の軽量化、コストダウンの妨げになっていた。
【０００６】
そこで本発明の目的は、誤って落下した小型容器の回収が簡単にでき、作業員によるメンテナンスが容易にでき、軽量化、コストダウンが図られる創薬用自動保管庫を提供することである。
【課題を解決するための手段】
【０００７】
上記目的を達成するため、本発明の創薬用自動保管庫は、創薬開発用試料をプレートやチューブ等の容器に封入し、恒温恒湿、冷凍等の環境のもとで保管管理する創薬用自動保管庫において、前記創薬用自動保管庫内の保管棚や移載機等が設置される架台を天井側から吊り下げると共に、電気配線や信号線等も天井側に配置する構成をしている。
【発明の効果】
【０００８】
本発明の創薬用自動保管庫によれば、創薬用自動保管庫内の保管棚や移載機等が設置される架台を天井側から吊り下げると共に、電気配線や信号線等も天井側に配置する構成をしているため、床板を箒などでさらうだけで、誤って落下した小型容器の回収ができると共に、作業員によるメンテナンスが容易にできる。更に、保管棚や移載機を吊り下げることにより、保管棚や移載機が重力によって、鉛直方向を向くため、各部材の剛性を落とすことができ、装置の軽量化、コストダウンが図られるという効果が奏される。また、保冷装置や移載機の振動が、架台を通じて、保管中の小型容器に伝わることを抑制することができる。
【発明を実施するための最良の形態】
【０００９】
本発明は、創薬開発用試料をプレートやチューブ等の容器に封入し、恒温恒湿、冷凍等の環境のもとで保管管理する創薬用自動保管庫において、前記創薬用自動保管庫内の保管棚や移載機等が設置される架台を天井側から吊り下げると共に、電気配線や信号線等も天井側に配置することにより、誤って落下した小型容器の回収が簡単にでき、作業員によるメンテナンスが容易にでき、軽量化、コストダウンが図られるものであれば、その具体的態様は如何なるものであっても良い。
【実施例】
【００１０】
以下、図１乃至図３を参照して本発明による創薬用自動保管庫の実施の形態の一例について説明する。
【００１１】
図１は、本発明の創薬用自動保管庫１００のフロントパネルを外した状態を示した斜視図である。また、図２は、創薬用自動保管庫１００の筐体１１０を外した図である。図３は、２つの保管棚１２０（１２０Ａ、１２０Ｂ）のうち、手前側の保管棚１２０Ａを省略して描写した斜視図である。
【００１２】
図１に示したように、創薬用自動保管庫１００は、創薬開発用試料が封入されたチューブ等の小型容器を収納した保管用プレートを垂直方向及び水平方向にマトリクス状に格納する２つの保管棚１２０（１２０Ａ、１２０Ｂ）を有している。これらの保管棚１２０は、平行に対峙した状態で天井フレーム１４０に固設されている。そして、図２に明示されているように天井フレーム１４０が２つの垂直フレーム枠体１４２により天井側に持ち上げられていることによって、保管棚１２０が、天井側から吊り下げられた状態で固定されている。更には、天井フレーム１４０が弾性部材等からなる緩衝材を介して２つの垂直フレーム枠体１４２に持ち上げられている場合、創薬用自動保管庫１００内の保冷装置の振動等が天井フレーム１４０に伝搬するのを抑制できる。また、図示はされていないが、保管棚１２０が弾性部材等からなる緩衝材を介して天井フレーム１４０に吊り下げられていれば、天井フレーム１４０に連結された移載機１５０が発生する振動を保管棚１２０に伝搬するのを抑制できる。
【００１３】
また、図３から明らかなように、２つの保管棚１２０Ａ、１２０Ｂの間には、保管用プレートの移載を行う移載機１５０が、天井フレーム１４０から吊り下げられた支柱１５２に取り付けられている。この移載機１５０は、支柱１５２に沿って上下移動することができると共に、支柱１５２自身が吊り下げ状態で２つの保管棚１２０Ａ、１２０Ｂの間を左右に動くことが可能になっている。更に、この移載機１５０は、進退自在であると共に１８０°回転可能なハンドプレートを有していることにより、２つの保管棚１２０Ａ、１２０Ｂに格納された全ての保管用プレートを移載できるようになっている。
【００１４】
また、２つの保管棚１２０Ａ、１２０Ｂの間の空間を臨む位置に観察機１３０が天井フレーム１４０から吊り下げ状態で設置されている。移載機１５０が、所望の保管用プレートを捉えて、この観察機１３０の載置台１３２まで運ぶことにより、所望の保管用プレートの観察を行うことが可能になっている。更には、図示はされていないが、観察機１３０の載置台１３２が弾性部材等からなる緩衝材を介して天井フレーム１４０から吊り下げられていれば、天井フレーム１４０に連結された移載機１５０が発生する振動を観察機１３０の載置台１３２に伝搬するのを抑制できる。
【００１５】
更に、図示はされていないが、移載機の駆動用電源ケーブルや信号線、観察機の電気配線や信号線は、全て天井側に敷設されているため、創薬用自動保管庫１００の底面には、メンテナンスの障害になるようなものが存在しない。
【００１６】
なお、本実施例においては、２つの固定された保管棚１２０Ａ、１２０Ｂを有する創薬用自動保管庫について説明したが、保管棚は、これに限られることなく、例えば、複数の垂直保管棚が連結されて、無端循環軌道に沿って回転移動可能な自動回転棚についても本発明は適用可能である。
【産業上の利用可能性】
【００１７】
本発明の創薬用自動保管庫によれば、試料損失の低減、メンテナンス負担の低減、装置の小型化及び省エネルギー化を可能とするものであって、より高度化するユーザニーズへの対応が可能となり、その産業上の利用可能性はきわめて高い。
【図面の簡単な説明】
【００１８】
【図１】本発明による創薬用自動保管庫のフロントパネルを外した状態を示した斜視図である。
【図２】本発明による創薬用自動保管庫の筐体を外した状態を示した斜視図である。
【図３】本発明による創薬用自動保管庫の手前側の保管棚を省略して描写した斜視図である。
【符号の説明】
【００１９】
１００  ・・・  創薬用自動保管庫
１１０  ・・・  筐体
１２０  ・・・  保管棚
１３０  ・・・  観察機
１３２  ・・・  載置台
１４０  ・・・  天井フレーム
１４２  ・・・  垂直フレーム枠体
１５０  ・・・  移載機
１５２  ・・・  支柱
【図１】
2006298559.tif 000003
【図２】
2006298559.tif 000004
【図３】
2006298559.tif 000005